(57)【要約】【課題】冷蔵室内に設置した庫内ケースの上面開口部の閉塞時及び一部開放時においても、庫内ケース内に、冷蔵室内の温度帯とは異なる温度帯を維持することのできる空間部が得られるようにした冷凍冷蔵庫を提供する。【解決手段】冷蔵室７内に設置され冷蔵室７内の温度帯とは異なる温度帯の庫内ケース１０を有し、この庫内ケース１０の上面開口部を上面後方棚１３と上面前方棚１２とによって閉塞すると共に、庫内ケース１０の底部に屈曲後方トレイ１６とこの屈曲後方トレイ１６に回動可能に支持された屈曲前方トレイ１５とを設置し、上面前方棚１２を取り外し、屈曲前方トレイ１５を直立状態に回動して上面後方棚１３に係止させ、庫内ケース１０の前部側の上部開口部を開放すると共に、後部側に冷蔵室７の温度帯と異なる温度帯の空間部１７を確保するようにした。【選択図】図１
2011002176.tif 000002
【特許請求の範囲】
【請求項１】
冷蔵室内に設置され該冷蔵室内の温度帯とは異なる温度帯の庫内ケースを有し、
前記庫内ケースの上面開口部を上面後方棚と上面前方棚とによって閉塞すると共に、前記庫内ケースの底部に屈曲後方トレイと該屈曲後方トレイに回動可能に支持された屈曲前方トレイとを設置し、
前記上面前方棚を取り外し、前記屈曲前方トレイを直立状態に回動して前記上面後方棚に係止させ、前記庫内ケースの前部側の上部開口部を開放すると共に、後部側に前記冷蔵室の温度帯と異なる温度帯の空間部を確保するようにしたことを特徴とする冷凍冷蔵庫。
【請求項２】
前記庫内ケースの上面後方棚の天板の両側に前記冷蔵室の両側壁に設けたガイドレールに係止する係止片、及び前部側の両側に前記屈曲前方トレイが係止する係止ピンを設け、前記上面前方棚の天板の両側に前記ガイドレールに着脱可能に嵌合する嵌合部を設けたことを特徴とする請求項１記載の冷凍冷蔵庫。
【請求項３】
前記庫内ケースの上面開口部の一部を開放するために前記上面前方棚を取り外したときは、該上面前方棚を前記上面後方棚上に重ねるように載置したことを特徴とする請求項１又は２記載の冷凍冷蔵庫。
【請求項４】
前記上面前方棚の天板と上面後方棚の天板のいずれか一方に凸部を設けると共に他方に凹部を設け、前記上面前方棚を上面後方棚に重ねたときに前記凸部が凹部に嵌合するようにしたことを特徴とする請求項３記載の冷凍冷蔵庫。
【請求項５】
前記庫内ケースの上面開口部の一部を開放するために前記上面前方棚を取り外したときは、前記冷蔵室の両側壁に設けた載置棚の支持台上に、天板を上又は下に向けて設置したことを特徴とする請求項１又は２記載の冷凍冷蔵庫。
【発明の詳細な説明】
【技術分野】
【０００１】
本発明は、冷凍冷蔵庫に係り、より詳しくは、冷蔵室内に冷蔵室の温度帯とは異なる温度帯の庫内ケースを備えた冷凍冷蔵庫に関するものである。
【背景技術】
【０００２】
従来の冷蔵庫に、冷蔵庫の下段に引き出し自在に収容した野菜ケースを有し、この野菜ケースの上面開口部を覆うように設置した棚を前方棚部と後方棚部に２分割し、前方棚部が垂直に倒立可能なヒンジ手段と、この前方棚部を倒立状態に維持可能な支持手段とを備えたものがある（例えば、特許文献１参照）。
【先行技術文献】
【特許文献】
【０００３】
【特許文献１】実公昭６３−１２５７８３号公報（第７−９頁、図１−４）
【発明の概要】
【発明が解決しようとする課題】
【０００４】
特許文献１の冷蔵庫においては、野菜ケース内に背の高い食品等を収納する場合は、野菜ケースの上面開口部を閉塞する前方棚部を回動して上方に倒立させ、手前側の上面開口部を開放して使用するようにしているので、野菜ケース内の温度が上面開口部が閉塞されている場合と、前方棚部を倒立させた場合とで異なり、一定温度に保つことができなかった。
また、前方棚部を開放することにより、野菜ケース内の食品の乾燥を早めてしまう（特に、野菜は乾燥を嫌う）という問題があり、さらに、前方棚部が倒立しているので、後方棚部上の食品等が取り出しにくいという問題もあった。
【０００５】
本発明は、上記の課題を解決するためになされたもので、冷蔵室内に設置した庫内ケースの上面開口部の閉塞時及び一部開放時においても、庫内ケース内に、冷蔵室内の温度帯とは異なる温度帯を維持することのできる空間部が得られるようにした冷凍冷蔵庫を提供することを目的としたものである。
【課題を解決するための手段】
【０００６】
本発明に係る冷凍冷蔵庫は、冷蔵室内に設置され該冷蔵室内の温度帯とは異なる温度帯の庫内ケースを有し、前記庫内ケースの上面開口部を上面後方棚と上面前方棚とによって閉塞すると共に、前記庫内ケースの底部に屈曲後方トレイと該屈曲後方トレイに回動可能に支持された屈曲前方トレイとを設置し、前記上面前方棚を取り外し、前記屈曲前方トレイを直立状態に回動して前記上面後方棚に係止させ、前記庫内ケースの前部側の上部開口部を開放すると共に、後部側に前記冷蔵室の温度帯と異なる温度帯の空間部を確保するようにしたものである。
【発明の効果】
【０００７】
本発明によれば、庫内ケースの上面開口部の閉塞時及び一部開放時に左右されることなく、庫内ケース内に冷蔵室内の温度帯と異なる温度帯の空間部を確保することができる。
そのため、乾燥を嫌う野菜などもそのまま庫内ケース内に収納しておくことができ、また、屈曲前方トレイは上方に直立しないので、上面後方棚上に収納した食品等を容易に取り出すことができる等、使い勝手のよい冷凍冷蔵庫を得ることができる。
【図面の簡単な説明】
【０００８】
【図１】本発明の実施の形態１に係る冷凍冷蔵庫の要部を示す断面図である。
【図２】図１の開閉ドアを取外した状態の正面図である。
【図３】図１の上面前方棚及び上面後方棚の斜視図である。
【図４】図１の屈曲前面トレイと屈曲後面トレイの斜視図である。
【図５】図４の作用説明図である。
【図６】図１の作用説明図である。
【図７】図６の開閉ドアを取外した状態の正面図及びその一部の説明図である。
【図８】本発明の実施の形態２に係る冷凍冷蔵庫の要部の作用説明図である。
【図９】図８の開閉ドアを取外した状態の正面図である。
【図１０】図９の他の例の正面図である。
【発明を実施するための形態】
【０００９】
［実施の形態１］
本発明の実施の形態１に係る冷凍冷蔵庫の要部を示す図１、図２において、１は金属板からなる外箱２、樹脂成形品からなる内箱３、及び発泡ウレタン、真空断熱パネル等からなり、外箱２と内箱３との間に充填されて外部との断熱性を確保する断熱材４によって構成され、前面側が開口された箱状の本体ケースである。
【００１０】
７は本体ケース１の最上部において、天板（図示せず）と下仕切り板５との間に形成された貯蔵室で、前面側の開口部には本体ケース１とほぼ同じ構造の開閉ドア６が設けられている。なお８は貯蔵室７の両側壁に対向して設けられた支持台９上に着脱可能に配設された食品等の載置棚である。
【００１１】
１０は上面が開口されて冷蔵室７の最下部（底部）に引き出し自在に設置された庫内ケースである。１１は庫内ケース１０の上面開口部を閉塞し、又はその一部を開放する上面棚で、前後方向に２分割して形成された着脱可能な上面前方棚１２と、半固定状態の上面後方棚１３とからなっている。
【００１２】
上面前方棚１２は、図３（ａ）に示すように、天板と周壁とによりトレイ状に形成されており、幅方向の両側には、冷蔵室７の両側壁の下方に設けた載置棚９（以下、この載置棚９に限りガイドレール９ａという）に、着脱可能に嵌合するほぼコ字状の嵌合部１２ａ，１２ｂが設けられている。
また、上面後方棚１３は、図３（ｂ）に示すように、天板と幅方向の両側及び後部に設けられた周壁によりほぼトレイ状に形成されており、幅方向の両側にはガイドレール９ａに係止する係止片１３ａ，１３ｂが設けられ、前面側には内側に突出する係止ピン１３ｃ，１３ｄが設けられている。
【００１３】
上記のような上面後方棚１３は、係止片１３ａ，１３ｂをガイドレール９ａに係止させて、庫内ケース１０上の奥側に半固定状に設置され、また、上面前方棚１２は、その嵌合部１２ａ，１２ｂをガイドレール９ａに着脱可能に嵌合し、上面後方棚１３の前部側（手前側）に設置される。これにより、両者の天板は庫内ケース１０上においてほぼ同一平面上に水平に設置され、庫内ケース１０の上面開口部を閉塞する。
【００１４】
１４は庫内ケース１０の底部に設けられた屈曲トレイで、屈曲前方トレイ１５と屈曲後方トレイ１６とからなっている。そして、図４に示すように、屈曲前方トレイ１５の幅方向の後端部側上面の両側に設けた回動軸１５ａ，１５ｂが、屈曲後方トレイ１６の幅方向の前端部側上面の両側に設けた軸受部１６ａ，１６ｂに回動自在に支持されている。１５ｃ，１５ｄは屈曲前方トレイ１５の幅方向の前端部側上面の両側に設けた係止凹部である。
【００１５】
次に、上記のように構成した本実施の形態の作用について説明する。
通常の場合は、図１に示すように、庫内ケース１０の上面開口部には上面棚１１がほぼ水平状態で設置され、庫内ケース１０の上面開口部を閉塞する蓋として機能すると共に、冷蔵室７内の食品等の収納物の載置棚としての機能を果している。
【００１６】
この場合は、庫内ケース１０の高さまでの収納物２０しか収納することができないが、庫内ケース１０内は、冷蔵室７の温度帯とは異なる一定の温度帯に維持されているので、乾燥を嫌う野菜等２１を多く収納する場合は、この状態で使用することが望ましい。
これらの収納物を取り出す場合は、開閉ドア６を開いて庫内ケース１０を引き出し、上面前方棚１２を取り外して収納物を取り出せばよい。
【００１７】
次に、庫内ケース１０の高さより高い収納物を収納する場合は、図６、図７（ａ）に示すように、上面前方棚１２をガイドレール９ａから取り外し、反転させて上面後方棚１３上に重ねて載置する。
このとき、上面前方棚１２の嵌合部１２ａ，１２ｂの上縁部と、本体ケース１の内壁に設けた直近の載置台９との間に、僅かなすき間ｇ（数ｍｍ程度）が存在するように設定する。これにより、上面前方棚１２の突き上げを防止することができる。
【００１８】
この場合、図７（ｂ）に示すように、上面前方棚１２の天板の上面に凹部（又は凸部）１２ｃを設け、上面後方棚１３の天板の上面にこれに対応して凸部（又は凹部）１３ｅを設けて、上面前方棚１２を反転させて上面後方棚１３上に重ねたときに、この凹部（又は凸部）１２ｃを凸部（又は凹部）１３ｅに嵌合させるようにすれば、確実に位置決めができるばかりでなく、上面前方棚１２のずれを防止することができる。
【００１９】
ついで、屈曲前方トレイ１５を回動軸１５ａ，１５ｂを軸とし、上方に９０°回動して直立させ（図５参照）、上部に設けた係止凹部１５ｃ，１５ｄを上面後方棚１３の係止ピン１３ｃ，１３ｄに係止させる。これにより、屈曲前面トレイ１５を直立状態に維持することができる。
【００２０】
この状態では、庫内ケース１０の上面の手前側に上面前方棚１２と同じ面積の開口部が形成されるので、この部分に庫内ケース１０より高い収納物２０ａを収納することができる。
このとき、庫内ケース１０の手前側上面は開放状態になるが、庫内ケース１０の奥側は、屈曲前方トレイ１５で閉塞されて区画されたスペース（空間部）１７が形成され、このスペース１７は冷蔵室７の温度帯と異なる温度帯に維持されているので、このスペース１７に乾燥を嫌う野菜等２１を収納することができる。
【００２１】
庫内ケース１０の高さより高い収納物２０ａを収納する必要がなくなったときは、屈曲前方トレイ１５の係止凹部１５ｃ，１５ｄと、上面後方棚１３の係止ピン１３ｃ，１３ｄとの係合を解除すれば、屈曲前方トレイ１５は自重により自動的に回動して元の状態に戻り、上面前方棚１２により庫内ケース１０の上面開口部の手前側が閉塞される。
【００２２】
本実施の形態によれば、庫内ケース１０の上面開口部を閉塞する上面棚１１を、上面前方棚１２と上面後方棚１３とに２分割し、また、庫内ケース１０の底部に屈曲前方トレイ１５と屈曲後方トレイ１６とからなる屈曲トレイ１４を設け、必要に応じて、上面前方棚１２を取り外して上面後方棚１３上に重ねると共に、屈曲前方トレイ１５を上方に回動させて直立状態にし、上面後方棚１３に係止させるようにしたので、庫内ケース１０の手前側は上面開口部が開放されて冷蔵室７と同じ温度帯になり、後部側は屈曲前方トレイ１５で閉塞されて、引き続き冷蔵室７内の温度帯と異なる温度帯のスペース１７を確保することができる。
【００２３】
これにより、庫内ケース１０の手前側には庫内ケース１０より高い収納物２０ａを収納することができ、後部側のスペース１７内には乾燥を嫌う野菜等２１を収納することができる。
また、庫内ケース１０の後部側には、上面後方棚１３の上に上面前方棚１２が重ねられているので、載置棚として収納物を収納することができ、さらに、上方に回動された屈曲前方トレイ１５は上面前方棚１２の上方に突出していないので、上面前方棚１２上の収納物の取り出しも容易である。
【００２４】
［実施の形態２］
図８は本発明の実施の形態２に係る冷凍冷蔵庫の要部を示す断面図である。なお、実施の形態１と同じ部分にはこれと同じ符号を付してある。
実施の形態１では、庫内ケース１０から取り外した上面前方棚１２を、上面後方棚１３上に重ねて載置した場合を示したが、本実施の形態は、取り外した上面前方棚１２を、庫内ケース１０の上方に設けられた載置棚８の支持台９に保持させるようにしたものである。
【００２５】
すなわち、図９に示すように、庫内ケース１０から取り外した上面前方棚１２を、天板を上に向けてその嵌合部１２ａ，１２ｂを、庫内ケース１０の上方に設けられた支持台９に嵌合し、保持させたものである。
また、図１０に示すように、上面前方棚１２を天板を下に向けてその嵌合部１２ａ，１２ｂを支持台９に嵌合させてもよい。
【００２６】
本実施の形態によれば、実施の形態１の場合とほぼ同様の効果を得ることができるが、さらに、図９又は図１０に示すように、収納物の大きさや高さに応じて上面前方棚１２を、天板を上又は下に向けて支持台９上にセットすることができるので、各種の収納物を収納することができて便利である。
【００２７】
上記の説明では、本発明を図示の冷凍冷蔵庫の庫内ケースに実施した場合を示したが、これに限定するものではなく、他の構造の冷凍冷蔵庫や庫内ケースにも本発明を実施することができる。
【符号の説明】
【００２８】
１  本体ケース、６  開閉ドア、７  冷蔵室、８  載置棚、９  支持台、９ａ  ガイドレール、１０  庫内ケース、１１  上面棚、１２  上面前方棚、１２ａ，１２ｂ  嵌合部、１３  上面後方棚、１３ａ，１３ｂ  係止片、１３ｃ，１３ｄ  係止ピン、１４  屈曲トレイ、１５  屈曲前方トレイ、１５ａ，１５ｂ  回動軸、１５ｃ，１５ｄ  係止凹部、１６  屈曲後方トレイ、１６ａ，１６ｂ  軸受部、１７  スペース（空間部）。
【図１】
2011002176.tif 000003
【図２】
2011002176.tif 000004
【図３】
2011002176.tif 000005
【図４】
2011002176.tif 000006
【図５】
2011002176.tif 000007
【図６】
2011002176.tif 000008
【図７】
2011002176.tif 000009
【図８】
2011002176.tif 000010
【図９】
2011002176.tif 000011
【図１０】
2011002176.tif 000012